(57)【要約】      （修正有）【課題】パララックスバリア液晶パネルを利用しユーザーの選択によって２Ｄ、３Ｄモードの自由な転換が可能なようにして、３Ｄモードで具現される立体映像の体感解像度と輝度を増加させ、より実感溢れる立体映像を具現することができる立体映像表示装置及び立体映像表示方法を提供する。【解決手段】映像を表示するディスプレーパネルと；ディスプレーパネルと向い合って形成されて、少なくとも一つの第１バリアゾーンと両側に隣合う第１バリアゾーン間に形成された少なくとも一つの第１及び第２透過ゾーンを含むパララックスバリアパネルを含み、第１及び第２透過ゾーンは３次元モードでホワイトとブラック状態を交代で有する。【選択図】図５
2006189766.tif 000002
【特許請求の範囲】
【請求項１】
映像を表示するディスプレーパネルと；
前記ディスプレーパネルと向い合って形成されて、少なくとも一つの第１バリアゾーンと前記両側に隣合う第１バリアゾーン間に形成された少なくとも一つの第１及び第２透過ゾーンを含むパララックスバリアパネルを含み、前記第１及び第２透過ゾーンは３次元モードでホワイトとブラック状態を交代で有することを特徴とする立体映像表示装置。
【請求項２】
前記第１バリアゾーンと第１及び第２透過ゾーンは２次元モードでホワイト状態を有しており、前記第１バリアゾーンは３次元モードでブラック状態を有することを特徴とする請求項１に記載の立体映像表示装置。
【請求項３】
前記パララックスバリアパネルは、前記第１バリアゾーンに対応して形成された第１バリア電極と；
前記第１及び第２透過ゾーンにそれぞれ対応して形成された第１及び第２透過電極を含むことを特徴とする請求項１に記載の立体映像表示装置。
【請求項４】
前記パララックスバリアパネルは、相互に向い合って形成された第１及び第２基板と；
前記第１及び第２基板間に形成された共通電極を含むことを特徴とする請求項３に記載の立体映像表示装置。
【請求項５】
前記第１バリア電極と第１及び第２透過電極は前記第１基板の内面に形成されて、前記共通電極は前記第２基板の内面に形成されることを特徴とする請求項４に記載の立体映像表示装置。
【請求項６】
前記パララックスバリアパネルは、前記第１バリア電極と第１及び第２透過電極間に絶縁膜をさらに含むことを特徴とする請求項４に記載の立体映像表示装置。
【請求項７】
前記第１バリア電極は前記第１基板と絶縁膜間に形成されて、前記第１及び第２透過電極は前記絶縁膜上に形成されることを特徴とする請求項６に記載の立体映像表示装置。
【請求項８】
前記第１及び第２透過電極は前記第１基板と絶縁膜間に形成されて、前記第１バリア電極は前記絶縁膜上に形成されることを特徴とする請求項６に記載の立体映像表示装置。
【請求項９】
前記共通電極は、前記第１バリアゾーンと向い合う第１部分と前記第１及び第２透過ゾーンと向い合う第２部分を含むことを特徴とする請求項４に記載の立体映像表示装置。
【請求項１０】
前記第１及び第２透過電極と前記共通電極の第１部分は前記第１基板と第２基板のうちの一つの内面に形成されて、前記第１バリア電極と前記共通電極の第２部分は前記第１基板と第２基板の他の一つ中の内面に形成されていることを特徴とする請求項９に記載の立体映像表示装置。
【請求項１１】
前記パララックスバリア液晶パネルは、前記共通電極の第１部分と前記第１及び第２透過電極間に形成された第１絶縁膜と前記共通電極の第２部分と前記第１バリア電極間に形成された第２絶縁膜を含むことを特徴とする請求項１０に記載の立体映像表示装置。
【請求項１２】
前記共通電極の第１部分は前記第１基板と第１絶縁膜間に形成されて、前記第１及び第２透過電極は前記第１絶縁膜上に形成されることを特徴として、前記共通電極の第２部分は前記第２基板と第２絶縁膜間に形成されて、前記第１バリア電極は前記第２絶縁膜上に形成されることを特徴とする請求項１１に記載の立体映像表示装置。
【請求項１３】
前記第１及び第２透過電極は前記第１基板と第１絶縁膜間に形成されて、前記共通電極の第１部分は前記第１絶縁膜上に形成されることを特徴としており、前記第１バリア電極は前記第２基板と第２絶縁膜間に形成されて、前記共通電極の第２部分は前記第２絶縁膜上に形成されることを特徴とする請求項１１に記載の立体映像表示装置。
【請求項１４】
前記共通電極の第１部分は前記第２基板と第２絶縁膜間に形成されて、前記第１及び第２透過電極は前記第２絶縁膜上に形成されることを特徴としており、前記共通電極の第２部分は前記第１基板と第１絶縁膜間に形成されて、前記第１バリア電極は前記第１絶縁膜上に形成されることを特徴とする請求項１１に記載の立体映像表示装置。
【請求項１５】
前記第１及び第２透過電極は前記第２基板と第２絶縁膜間に形成されて、前記共通電極の第１部分は前記第２絶縁膜上に形成されることを特徴としており、前記第１バリア電極は前記第１基板と第１絶縁膜間に形成されて前記共通電極が第２部分は前記第１絶縁膜上に形成されることを特徴とする請求項１１に記載の立体映像表示装置。
【請求項１６】
前記パララックスバリアパネルは、前記両側に隣合う第１及び第２透過ゾーン間に形成される第２バリアゾーンと前記第２バリアゾーンに対応する第２バリア電極を含むことを特徴とする請求項４に記載の立体映像表示装置。
【請求項１７】
前記第１及び第２バリア電極と第１及び第２透過電極は前記第１基板の内面に形成されていて、前記共通電極は前記第２基板の内面に形成されることを特徴とする請求項１６に記載の立体映像表示装置。
【請求項１８】
前記パララックスバリアパネルは、前記第１及び第２バリア電極と前記第１及び第２透過電極間に形成される絶縁膜をさらに含むことを特徴とする請求項１６に記載の立体映像表示装置。
【請求項１９】
前記第１及び第２バリア電極は前記第１基板と絶縁膜間に形成されて、前記第１及び第２透過電極は前記絶縁膜上に形成されることを特徴とする請求項１８に記載の立体映像表示装置。
【請求項２０】
前記第１及び第２透過電極は前記第１基板と絶縁膜間に形成されて、前記第１及び第２バリア電極は前記絶縁膜上に形成されることを特徴とする請求項１８に記載の立体映像表示装置。
【請求項２１】
前記共通電極は前記第１及び第２バリアゾーンと向い合う第１部分と前記第１及び第２透過ゾーンと向い合う第２部分を含むことを特徴とする請求項１６に記載の立体映像表示装置。
【請求項２２】
前記第１及び第２透過電極と前記共通電極の第１部分は前記第１及び第２基板のうちの一つの内面に形成されて、前記第１及び第２バリア電極と前記共通電極の第２部分は前記第１及び第２基板中の他の一つの内面に形成されることを特徴とする請求項２１に記載の立体映像表示装置。
【請求項２３】
前記パララックスバリアパネルは、前記共通電極の第１部分と第１及び第２透過電極間に形成される第１絶縁膜と、前記共通電極の第２部分と第１及び第２バリア電極間に形成される第２絶縁膜をさらに含むことを特徴とする請求項２２に記載の立体映像表示装置。
【請求項２４】
前記共通電極の第１部分は前記第１基板と第１絶縁膜間に形成されて、前記第１及び第２透過電極は前記第１絶縁膜上に形成されることを特徴としており、前記共通電極の第２部分は前記第２基板と第２絶縁膜間に形成されて、前記第１及び第２バリア電極は前記第２絶縁膜上に形成されることを特徴とする請求項２３に記載の立体映像表示装置。
【請求項２５】
前記第１及び第２透過電極は前記第１基板と第１絶縁膜間に形成され、前記共通電極の第１部分は前記絶縁膜上に形成されることを特徴としており、前記第１及び第２バリア電極は前記第２基板と第２絶縁膜間に形成されて、前記共通電極の第２部分は前記第２絶縁膜上に形成されることを特徴とする請求項２３に記載の立体映像表示装置。
【請求項２６】
前記共通電極の第１部分は前記第２基板と第２絶縁膜間に形成されて、前記第１及び第２透過電極は前記第２絶縁膜上に形成されることを特徴としており、前記共通電極の第２部分は前記第１基板と第１絶縁膜間に形成されて、前記第１及び第２バリア電極は前記第１絶縁膜上に形成されることを特徴とする請求項２３に記載の立体映像表示装置。
【請求項２７】
前記第１及び第２透過電極は前記第２基板と第２絶縁膜間に形成されて、前記共通電極の第１部分は前記第２絶縁膜上に形成されることを特徴としており、前記第１及び第２バリア電極は前記第１基板と第１絶縁膜間に形成されて、前記共通電極の第２部分は前記第１絶縁膜上に形成されることを特徴とする請求項２３に記載の立体映像表示装置。
【請求項２８】
前記パララックスバリアパネルは前記ディスプレーパネルとバックライト間に形成されて、または前記ディスプレーパネルは前記パララックスバリアパネルとバックライト間に形成されることを特徴とする請求項１に記載の立体映像表示装置。
【請求項２９】
前記ディスプレーパネルは液晶であることを特徴とする請求項１に記載の立体映像表示装置。
【請求項３０】
前記第１及び第２透過ゾーンの状態は３次元モードで相互に反対されることを特徴とする請求項１に記載の立体映像表示装置。
【請求項３１】
前記パララックスバリアパネルは液晶パネルを含む非発光パネルであり、前記ディスプレーパネルはＥＬを含む発光パネルであることを特徴とする請求項１に記載の立体映像表示装置。
【請求項３２】
映像を表示するディスプレーパネルと；
前記ディスプレーパネルに光を供給して、少なくとも一つの第１バリアゾーンと前記両側の隣接する第１バリアゾーン間に形成された第１及び第２透過ゾーンを含むパララックスバリアパネルを含む立体映像表示装置。
【請求項３３】
前記パララックスバリアパネルはＥＬを含む発光パネルであり、前記ディスプレーパネルは液晶パネルを含む非発光パネルであることを特徴とする請求項３２に記載の立体映像表示装置。
【請求項３４】
ディスプレーパネルで映像を表示する段階と；
少なくとも一つの第１バリアゾーンと前記両側の隣接する第１バリアゾーン間に形成された第１及び第２透過ゾーンを含むパララックスバリアパネルを駆動する段階を含み、
３次元モードで前記パララックスバリアパネルを駆動する段階は、
前記第１バリアゾーンに入射される光を遮る段階と；
前記第１及び第２透過ゾーンに入射される光を交代で遮って透過させる段階を含む立体映像表示装置の製造方法。
【請求項３５】
２次元モードで前記パララックスバリアパネルを駆動する段階は、前記第１バリアゾーンと第１及び第２透過ゾーンに入射される光を透過させる段階を含むことを特徴とする請求項３４に記載の立体映像表示装置の製造方法。
【請求項３６】
前記第１及び第２透過ゾーン間で光を遮って透過させる段階は、３次元モードで相互に反対であることを特徴とする請求項３４に記載の立体映像表示装置の製造方法。
【請求項３７】
前記パララックスバリアパネルは、前記隣接する第１及び第２透過電極間に形成された第２バリアゾーンを含み、３次元モードで前記第１及び第２バリアゾーンに入射される光を遮る段階をさらに含むことを特徴とする請求項３４に記載の立体映像表示装置の製造方法。
【請求項３８】
前記パララックスバリアパネルは液晶パネルであり、前記ディスプレーパネルは液晶パネルであることを特徴とする請求項３４に記載の立体映像表示装置の製造方法。
【請求項３９】
ディスプレーパネルで映像を表示する段階と；
少なくとも一つの第１バリアゾーンと前記両側の隣接する第１バリアゾーン間に形成された少なくとも一対の第１及び第２透過ゾーンを含むパララックスバリアパネルを駆動させる段階を含み、
前記パララックスバリアパネルを３次元で駆動させる段階は、
前記第１バリアゾーンから放出された光を遮る段階と；
前記第１及び第２透過ゾーンから放出された光を交代で遮って供給する段階を含む立体映像表示装置の製造方法。
【請求項４０】
前記パララックスバリアパネルを２次元で駆動する段階は、前記第１バリアゾーンと第１及び第２透過ゾーンから放出された光を供給する段階を含むことを特徴とする請求項３９に記載の立体映像表示装置の製造方法。
【請求項４１】
前記パララックスバリアパネルはＥＬパネルを含む発光パネルであり、前記ディスプレーパネルは液晶パネルを含む非発光パネルであることを特徴とする請求項３９に記載の立体映像表示装置の製造方法。
【請求項４２】
前記パララックスバリアパネルは、前記隣接する第１及び第２透過ゾーン間に形成された第２バリアゾーンを含み、３次元モードで前記第１及び第２バリアゾーンで放出した光を遮る段階を含むことを特徴とする請求項３９に記載の立体映像表示装置の製造方法。
【発明の詳細な説明】
【技術分野】
【０００１】
本発明は立体映像表示装置及び立体映像表示方法に係り、さらに詳細には平面映像を表示する２Ｄ（２次元）モードと立体映像を表示する３Ｄ（３次元）モードの変換が可能であって、特に３Ｄモードで体感解像度と輝度が高くてさらに実感溢れる立体映像を具現することができるパララックスバリア液晶パネルを具備した立体映像表示装置及びこれを利用した立体映像表示方法に関する。
【背景技術】
【０００２】
今までは２次元表示装置が一般的に使用されてきたが、最近には広帯域通信網の使用による情報の高速化によって３次元表示装置が研究及び開発されている。
【０００３】
一般的に３次元を表現する立体映像はステレオ視覚の原理に依存するが、両眼視差は立体感の最も重要な要因といえる。すなわち、人体の左右目がそれぞれ相互に関連した２Ｄ映像を見る場合にこれら二映像が網膜を介して脳に伝えられれば脳はこれを相互に融合して本来３次元映像の深み感と実在感を再生するようになる。
【０００４】
前述したような原理に基づいて、２次元の画面で３次元の映像を表示する多様な表示装置が利用されている。例えば、特殊めがねを利用した立体表示装置、無めがね式立体表示装置、そしてボログラフィック表示装置などがある。
【０００５】
特殊めがねを利用した立体表示装置は別途の特殊めがねを着用しなければならないので不便さと不自然さを誘発する短所があり、ボログラフィック表示装置は別途のレーザービームを用いる短所がある。しかし無めがね式立体表示装置は別途のめがねを着用しないしこれを具現するための装置的構成が簡単だ。このような無めがね式立体表示装置はパララックスバリア方式と、レンティキュラー方式そしてインテグラル方式に分けることができ、このうちパララックスバリア方式が主に使われている。図１は従来技術によるパララックスバリア方式の立体映像表示装置を示した概略的な断面図で、メインディスプレー装置で液晶パネル（１０）を用いた場合が現れている。
【０００６】
図示されるように、パララックスバリア方式の立体映像表示装置は液晶パネル１０と液晶パネル１０下にあるバックライト２０と液晶パネル１０と観察者４０間にあるパララックスバリア３０を含む。この時液晶パネル１０には左眼用イメージ情報を表示する左眼ピクセルＬと右眼用イメージ情報を表示する右眼ピクセルＲが交互に形成されていて、パララックスバリア３０には左／右眼用ピクセルＬ、Ｒから出てくる光をそれぞれ選択的に通過及び遮断させるスリット３２とバリア３４が交互にストライプ形態で存在する。
【０００７】
ここにバックライト２０から発散された光のうちから液晶パネル１０の左眼用ピクセルＬを通過した光Ｌ１はパララックスバリア３０のスリット３２を経て観察者４０の左眼に到達されて、液晶パネル１０の右眼用ピクセルＲを通過した光Ｒ１はパララックスバリア３０のスリット３２を経て観察者４０の右眼に到達される。そしてこれらそれぞれの左／右眼用ピクセルを介して表示される映像には人間が十分に感知することができる程度の十分な視差情報が存在して観察者４０は３次元立体映像を認識するようになる。
【０００８】
しかし、スリット３２とバリア３４が永久的に区分されたパララックスバリア３０を用いるによって３Ｄ専用だけでその活用範囲が制限される短所がある。したがってこのような使用制限を解決するために、２Ｄモードと３Ｄモードの変換が可能な立体映像表示装置が紹介されたことがある。
【０００９】
ここに添付された図２Ａと図２Ｂは一般的なパララックスバリア液晶パネルを具備した立体映像表示装置の概略的な断面図であって、それぞれ２Ｄモードと３Ｄモードの場合を示した図面である。
【００１０】
図示されるように一般的なパララックスバリア液晶パネルを活用した立体映像表示装置は基本的にはバックライト５０及びここから出射された光を利用して平面映像を表示するメイン液晶パネル６０を含み、これら間で別途のパララックスバリア液晶パネル７０が介在された構成を有する。
【００１１】
この時メイン液晶パネル６０は第１液晶層６２を間に置いて相互に対面合着された一対の第１及び第２基板６４、６６を含み、図面上に明確に現われていないがこれら両基板６４、６６間で複数の画素が縦横配列されている。そしてこれら各画素毎に液晶を間に置いて相互に対向する第１基板６４の透明画素電極と第２基板６６の透明第１共通電極が位置するが、このうち画素電極としては一対一で対応具備された薄膜トランジスタにより選択的に映像信号電圧が印加される。そして第２基板６６としては各画素に対応するように一例としてＲＧＢカラーフィルター及びこれら間の間隔を埋めるブラックマトリックスが具備され、前の第１共通電極がこれらを覆っている。
【００１２】
したがって薄膜トランジスタのスイッチング動作により選択された画素の画素電極に映像信号電圧が印加されると該画素電極と第１共通電極間に電圧差が発生して、これにより光学的異方性と分極性質を有した液晶分子が駆動されて透過率の差を示すので、バックライト５０の光がメイン液晶パネル６０を透過しながら各画素別透過率の差とＲＧＢカラーフィルターの色調合計によっていろいろ多様な平面カラー映像が表示される。
【００１３】
またパララックスバリア液晶パネル７０は第２液晶層７２を間に置いて相互に対面合着された第３及び第４基板７４、７８を含むが、前のメイン液晶パネル６０と違って画素の区分なく単純ストライプ形態の透明バリアー電極７６が第３基板７４内面に形成されていて第４基板７８内面では透明第２共通電極８０が用意されている。この時第２液晶層７２がツイステッド・ネマティック集合体という前提下に、３Ｄモードでだけバリア電極７６に液晶駆動電圧が印加される。
【００１４】
共にこのような立体映像表示装置には一例としてメイン液晶パネル６０の第２基板６６外面、メイン液晶パネル６０とパララックスバリア液晶パネル７０間そしてパララックスバリア液晶パネル７０の第３基板７４背面にそれぞれ第１ないし第３偏光板８２、８４、８６が付着する。
【００１５】
ここに上述した構成のパララックスバリア液晶パネル７０を具備した立体映像表示装置はパララックスバリア液晶パネル７０のバリアー電極７６に何らの電圧が印加されない図２Ａの２Ｄモードで前記パララックスバリア液晶パネル７０の全面にかけてノーマルホワイト状態を維持してバックライト５０から出射された光を単純透過させて、その結果観察者はメイン液晶パネル６０の平面映像を見ることができる。
【００１６】
反面、バリアー電極７６に液晶駆動電圧が印加された図２Ｂの３Ｄモードではバリアー電極７６と第２共通電極８０間の液晶だけが駆動されて該部分がブラックを表示することによって光を遮断する遮断領域（以下Ｂ−ゾーンＢＺと称する。）になって、その間の部分はホワイトを表示して光を透過させる透過領域（以下簡略にＴ−ゾーンＴＺと称する。）になる。そのＢ−ゾーンＢＺとＴ−ゾーンＴＺはそれぞれバリアとスリットとして作用して観察者はメイン液晶パネル６０の映像を立体で認識することができる。
【００１７】
ここにパララックスバリア液晶パネル８０、厳密にはバリアー電極７６のオン／オフ動作で２Ｄと３Ｄモードを転換することができる。
【００１８】
一方、これと同様であるが細部的な構成で差別性を見せるまた他の形態のパララックスバリア液晶パネルが紹介されたことがあるが、その断面構造を図３に示したし、図２Ａ及び図２Ｂで説明した各部分と同一な役割をする同一要素に対しては同一符号を付与した。
【００１９】
図示されるように一般的なまた他の形態の立体映像表示装置はメイン液晶パネル６０及びバックライト５０を具備していることは前と等しくて、これらの間にパララックスバリア液晶パネル７０が介在されている。しかしこの場合パララックスバリア液晶パネル７０の第３及び第４基板７４、７８間にはＴ−ゾーンＴＺに対応するように透明な高分子物質、一例でフォトアクリルなどで構成された隔壁９０が位置しており、したがってＴ−ゾーンＴＺには液晶が存在しないで隔壁９０の間の空間であるＢ−ゾーンＢＺにだけ液晶が充填された構造を形成する。
【００２０】
そして前と同様にＢ−ゾーンＢＺに対応する第３基板７４内面にはそれぞれバリアー電極７６が位置してこれと対面される第４基板７８内面では第２共通電極８０が用意されている。ここにバリアー電極７６のオン／オフを介して２Ｄと３Ｄモードを選択表示することができて、Ｔ−ゾーンＴＺとＢ−ゾーンＢＺの境界が明確に区分される利点がある。
【００２１】
しかし上述した幾つの一般的なパララックスバリア液晶パネル７０を利用した立体映像表示装置は短所を示すが、そのうち一つが３Ｄ映像を表現する場合に輝度が低く体感解像度が低下する現象である。すなわち、前の一般的な立体映像表示装置においてパララックスバリア液晶パネル７０のＴ−ゾーンＴＺとＢ−ゾーンＢＺの幅はそれぞれの用途による観察者の可視距離に依存するが、左右眼用イメージが明確に分離するためにできるだけＴ−ゾーンＴＺの幅が小さいほどより深み感ある立体映像を具現することができる。
【００２２】
しかしこのようにＴ−ゾーンＴＺの幅を減らす場合に体感解像度は増加する反面開口率が急激に低下して輝度が大きく落ちるので、一般的なパララックスバリア液晶パネル７０を利用した立体映像表示装置の３Ｄモード具現画像に対する一部を示した図４を参照すると、全体面積対比Ｔ−ゾーンＴＺの面積が非常に狭小なことが分かって、したがってＴ−ゾーンＴＺの面積をこれより減少させる場合急激な輝度低下が後続する。この時前記図面でＲＧＢはそれぞれ赤、緑、青カラーの画素を示す。
【００２３】
ここに現在としては一定以上の輝度を維持するために３Ｄ体感解像度低下を甘受している実情であので、より実感溢れる立体映像を具現しにくい限界がある。
【発明の開示】
【発明が解決しようとする課題】
【００２４】
ここに本発明は前記のような問題点を解決するために案出されたことで、パララックスバリア液晶パネルを利用した立体映像表示装置を提供してユーザーの選択によって２Ｄ、３Ｄモードの自由な転換が可能なようにして、ここで一層一歩進んで３Ｄモードで具現される立体映像の体感解像度と輝度を増加させることができる具体的な方法を提示してより実感溢れる立体映像を具現することができる立体映像表示装置及び立体映像表示方法を提供することにその目的がある。
【課題を解決するための手段】
【００２５】
前記した目的を達成するために、本発明による立体映像表示装置は、映像を表示するディスプレーパネルと；前記ディスプレーパネルと向い合って形成されて、少なくとも一つの第１バリアゾーンと前記両側に隣合う第１バリアゾーン間に形成された少なくとも一つの第１及び第２透過ゾーンを含むパララックスバリアパネルを含み、前記第１及び第２透過ゾーンは３次元モードでホワイトとブラック状態を交代で有することを特徴とする。
【００２６】
また、前記第１バリアゾーンと第１及び第２透過ゾーンは２次元モードでホワイト状態を有しており、前記第１バリアゾーンは３次元モードでブラック状態を有することを特徴とする。
【００２７】
また、前記パララックスバリアパネルは、前記第１バリアゾーンに対応して形成された第１バリア電極と；前記第１及び第２透過ゾーンにそれぞれ対応して形成された第１及び第２透過電極を含むことを特徴とする。
【００２８】
また、前記パララックスバリアパネルは、相互に向い合って形成された第１及び第２基板と；前記第１及び第２基板間に形成された共通電極を含むことを特徴とする。
【００２９】
また、前記第１バリア電極と第１及び第２透過電極は前記第１基板の内面に形成されて、前記共通電極は前記第２基板の内面に形成されることを特徴とする。
【００３０】
また、前記パララックスバリアパネルは、前記第１バリア電極と第１及び第２透過電極間に絶縁膜をさらに含むことを特徴とする。
【００３１】
また、前記第１バリア電極は前記第１基板と絶縁膜間に形成されて、前記第１及び第２透過電極は前記絶縁膜上に形成されることを特徴としており、前記第１及び第２透過電極は前記第１基板と絶縁膜間に形成されて、前記第１バリア電極は前記絶縁膜上に形成されることを特徴とする。
【００３２】
また、前記共通電極は、前記第１バリアゾーンと向い合う第１部分と前記第１及び第２透過ゾーンと向い合う第２部分を含むことを特徴とする。
【００３３】
また、前記第１及び第２透過電極と前記共通電極の第１部分は前記第１基板と第２基板のうちの一つの内面に形成されて、前記第１バリア電極と前記共通電極の第２部分は前記第１基板と第２基板の他の一つ中の内面に形成されていることを特徴とする。
【００３４】
また、前記パララックスバリア液晶パネルは、前記共通電極の第１部分と前記第１及び第２透過電極間に形成された第１絶縁膜と前記共通電極の第２部分と前記第１バリア電極間に形成された第２絶縁膜を含むことを特徴とする。
【００３５】
また、前記共通電極の第１部分は前記第１基板と第１絶縁膜間に形成されて、前記第１及び第２透過電極は前記第１絶縁膜上に形成されることを特徴として、前記共通電極の第２部分は前記第２基板と第２絶縁膜間に形成されて、前記第１バリア電極は前記第２絶縁膜上に形成されることを特徴とする。
【００３６】
また、前記第１及び第２透過電極は前記第１基板と第１絶縁膜間に形成されて、前記共通電極の第１部分は前記第１絶縁膜上に形成されることを特徴としており、前記第１バリア電極は前記第２基板と第２絶縁膜間に形成されて、前記共通電極の第２部分は前記第２絶縁膜上に形成されることを特徴とする。
【００３７】
また、前記共通電極の第１部分は前記第２基板と第２絶縁膜間に形成されて、前記第１及び第２透過電極は前記第２絶縁膜上に形成されることを特徴としており、前記共通電極の第２部分は前記第１基板と第１絶縁膜間に形成されて、前記第１バリア電極は前記第１絶縁膜上に形成されることを特徴とする。
【００３８】
また、前記第１及び第２透過電極は前記第２基板と第２絶縁膜間に形成されて、前記共通電極の第１部分は前記第２絶縁膜上に形成されることを特徴としており、前記第１バリア電極は前記第１基板と第１絶縁膜間に形成されて前記共通電極が第２部分は前記第１絶縁膜上に形成されることを特徴とする。
【００３９】
また、前記パララックスバリアパネルは、前記両側に隣合う第１及び第２透過ゾーン間に形成される第２バリアゾーンと前記第２バリアゾーンに対応する第２バリア電極を含むことを特徴とする。
【００４０】
また、前記第１及び第２バリア電極と第１及び第２透過電極は前記第１基板の内面に形成されていて、前記共通電極は前記第２基板の内面に形成されることを特徴とする。
【００４１】
また、前記パララックスバリアパネルは、前記第１及び第２バリア電極と前記第１及び第２透過電極間に形成される絶縁膜をさらに含むことを特徴とする。
【００４２】
また、前記第１及び第２バリア電極は前記第１基板と絶縁膜間に形成されて、前記第１及び第２透過電極は前記絶縁膜上に形成されることを特徴とする。
【００４３】
また、前記第１及び第２透過電極は前記第１基板と絶縁膜間に形成されて、前記第１及び第２バリア電極は前記絶縁膜上に形成されることを特徴とする。
【００４４】
また、前記共通電極は前記第１及び第２バリアゾーンと向い合う第１部分と前記第１及び第２透過ゾーンと向い合う第２部分を含むことを特徴とする。
【００４５】
また、前記第１及び第２透過電極と前記共通電極の第１部分は前記第１及び第２基板のうちの一つの内面に形成されて、前記第１及び第２バリア電極と前記共通電極の第２部分は前記第１及び第２基板中の他の一つの内面に形成されることを特徴とする。
【００４６】
また、前記パララックスバリアパネルは、前記共通電極の第１部分と第１及び第２透過電極間に形成される第１絶縁膜と、前記共通電極の第２部分と第１及び第２バリア電極間に形成される第２絶縁膜をさらに含むことを特徴とする。
【００４７】
また、前記共通電極の第１部分は前記第１基板と第１絶縁膜間に形成されて、前記第１及び第２透過電極は前記第１絶縁膜上に形成されることを特徴としており、前記共通電極の第２部分は前記第２基板と第２絶縁膜間に形成されて、前記第１及び第２バリア電極は前記第２絶縁膜上に形成されることを特徴とする。
【００４８】
また、前記第１及び第２透過電極は前記第１基板と第１絶縁膜間に形成され、前記共通電極の第１部分は前記絶縁膜上に形成されることを特徴としており、前記第１及び第２バリア電極は前記第２基板と第２絶縁膜間に形成されて、前記共通電極の第２部分は前記第２絶縁膜上に形成されることを特徴とする。
【００４９】
また、前記共通電極の第１部分は前記第２基板と第２絶縁膜間に形成されて、前記第１及び第２透過電極は前記第２絶縁膜上に形成されることを特徴としており、前記共通電極の第２部分は前記第１基板と第１絶縁膜間に形成されて、前記第１及び第２バリア電極は前記第１絶縁膜上に形成されることを特徴とする。
【００５０】
また、前記第１及び第２透過電極は前記第２基板と第２絶縁膜間に形成されて、前記共通電極の第１部分は前記第２絶縁膜上に形成されることを特徴としており、前記第１及び第２バリア電極は前記第１基板と第１絶縁膜間に形成されて、前記共通電極の第２部分は前記第１絶縁膜上に形成されることを特徴とする。
【００５１】
また、前記パララックスバリアパネルは前記ディスプレーパネルとバックライト間に形成されて、または前記ディスプレーパネルは前記パララックスバリアパネルとバックライト間に形成されることを特徴とする。
【００５２】
また、前記ディスプレーパネルは液晶であることを特徴とする。
【００５３】
また、前記第１及び第２透過−ゾーンの状態は３次元モードで相互に反対されることを特徴とする。
【００５４】
また、前記パララックスバリアパネルは液晶パネルを含む非発光パネルであり、前記ディスプレーパネルはＥＬパネルを含む発光パネルであることを特徴とする。
【００５５】
本発明による立体映像表示装置は、映像を表示するディスプレーパネルと；前記ディスプレーパネルに光を供給して、少なくとも一つの第１バリアゾーンと前記両側の隣接する第１バリアゾーン間に形成された第１及び第２透過ゾーンを含むパララックスバリアパネルを含むことを特徴とする。
【００５６】
また、前記パララックスバリアパネルはＥＬを含む発光パネルであり、前記ディスプレーパネルは液晶パネルを含む非発光パネルであることを特徴とする。
【００５７】
本発明による立体映像表示装置の製造方法は、ディスプレーパネルで映像を表示する段階と；少なくとも一つの第１バリアゾーンと前記両側の隣接する第１バリアゾーン間に形成された第１及び第２透過ゾーンを含むパララックスバリアパネルを駆動する段階を含み、３次元モードで前記パララックスバリアパネルを駆動する段階は、前記第１バリアゾーンに入射される光を遮る段階と；前記第１及び第２透過ゾーンに入射される光を交代で遮って透過させる段階を含むことを特徴とする。
【００５８】
また、２次元モードで前記パララックスバリアパネルを駆動する段階は、前記第１バリアゾーンと第１及び第２透過ゾーンに入射される光を透過させる段階を含むことを特徴とする。
【００５９】
また、前記第１及び第２透過ゾーン間で光を遮って透過させる段階は、３次元モードで相互に反対であることを特徴とする。
【００６０】
また、前記パララックスバリアパネルは、前記隣接する第１及び第２透過電極間に形成された第２バリアゾーンを含み、３次元モードで前記第１及び第２バリアゾーンに入射される光を遮る段階をさらに含むことを特徴とする。
【００６１】
また、前記パララックスバリアパネルは液晶パネルであり、前記ディスプレーパネルは液晶パネルであることを特徴とする。
【００６２】
本発明による液晶表示装置の製造方法は、ディスプレーパネルで映像を表示する段階と；少なくとも一つの第１バリアゾーンと前記両側の隣接する第１バリアゾーン間に形成された少なくとも一対の第１及び第２透過ゾーンを含むパララックスバリアパネルを駆動させる段階を含み、前記パララックスバリアパネルを３次元で駆動させる段階は、前記第１バリアゾーンから放出された光を遮る段階と；前記第１及び第２透過ゾーンから放出された光を交代で遮って供給する段階を含むことを特徴とする。
【００６３】
また、前記パララックスバリアパネルを２次元で駆動する段階は、前記第１バリアゾーンと第１及び第２透過ゾーンから放出された光を供給する段階を含むことを特徴とする。
【００６４】
また、前記パララックスバリアパネルはＥＬパネルを含む発光パネルであり、前記ディスプレーパネルは液晶パネルを含む非発光パネルであることを特徴とする。
【００６５】
また、前記パララックスバリアパネルは、前記隣接する第１及び第２透過ゾーン間に形成された第２バリアゾーンを含み、３次元モードで前記第１及び第２バリアゾーンで放出した光を遮る段階を含むことを特徴とする。以下図面を参照して本発明をさらに詳細に説明する。
【００６６】
この時本発明は具体的な構成によって幾つの実施形態に区分されることができるのでこれらをそれぞれ区分して説明し、便宜上第１実施形態で共通的な部分に対する説明を先行して第２実施形態ではこれと大別される差異点を重点的に浮き彫りにすることで不要な説明の重複を避ける。
【発明の効果】
【００６７】
本発明による立体映像表示装置は前述した構成のパララックス液晶パネルを具備するによって２Ｄ及び３Ｄモードに変換が可能であって、共に輝度が高くて３Ｄ体感解像度が大きく改善してユーザーにより深み感あって実感溢れる立体映像を提供することができる長所がある。同時に本発明に他の立体映像表示方法も前記のような効果が現われる。
【発明を実施するための最良の形態】
【００６８】
第１実施形態
まず図５は本発明の第１実施形態による立体映像表示装置に対する断面図であって、平面映像を表示するメイン液晶パネル１００とこれの背面で具備されたパララックスバリア液晶パネル２００そして前記パララックスバリア液晶パネル２００の背面で光を供給するバックライト３００を含む。この場合必要によってはパララックスバリア液晶パネル２００がメイン液晶パネル１００前面に位置することも可能である。
【００６９】
この時メイン液晶パネル１００はノート・パンコンやＴＶないし各種ディスプレー装置に使われる一般的なアクティブマトリックス方式液晶パネルと同一な構造を持つことができて、その一例に対する詳細な分解斜視図を図６に示した。
【００７０】
図示されるように本発明による立体映像表示装置のメイン液晶パネルは第１液晶層１３０を間に置いて相互に対面合着された第１及び第２基板１１０、１４０を含む。
【００７１】
このうち第１基板１１０は通常下部基板またはアレイ基板と呼ばれたりするが、ガラスのような透明の第１基板１１０内面で複数のゲート配線１１４とデータ配線１１６が交差してマトリックス形状の画素Ｐを縦横に繰り返し定義しており、これらゲート配線１１４とデータ配線１１６の交差点には薄膜トランジスタ１２０が具備されて各画素Ｐに実装された透明画素電極１２２と一対一で対応連結している。
【００７２】
そしてこれと対面する第２基板１４０は通常上部基板またはカラーフィルター基板と呼ばれることであって、ガラスのような透明の第２基板１４０内面で前記第１基板１１０のゲート及びデータ配線１１４、１１６そして薄膜トランジスタ１２０等のように液晶駆動と直接的な関連がない部分を遮ることによって各画素電極１２２だけを露出させることができるように格子状で繰り返される開口部を定義するブラックマトリックス１４６及びこれら各開口部に充填される一例でＲ、Ｇ、Ｂカラーフィルター１４４ａ、１４４ｂ、１４４ｃそしてこれらを覆う透明な第１共通電極１４８が用意されている。この時たとえ図面上に明確に示さなかったが第１液晶層１３０と接する第１及び第２基板１１０、１４０内面ではそれぞれ液晶分子の配列方向を決定する配向膜が介在される。
【００７３】
ここに上述した構造のメイン液晶パネル１００は画素電極１２２及び第１共通電極１４８間の人為的な電圧差を介して発生する垂直電界により液晶分子の配列方向を制御して透過率の差を示すようにして、バックライト（図５の３００）から出射された光に各画素Ｐ別透過率の差とＲ、Ｇ、Ｂカラーフィルター１４４ａ、１４４ｂ、１４４ｃの色組合を反映させていろいろ多様なカラーの平面映像をディスプレーする。
【００７４】
再び図５に戻って、次にパララックスバリア液晶パネル２００は上述したメイン液晶パネル１００の平面映像をユーザーの選択によって２Ｄまたは３Ｄモードに切り替える部分であって、２Ｄモードで平面映像を表示する場合には全面積にかけて光が透過されて、３Ｄモードで立体映像を表示する場合には光を透過するＴ−ゾーンと光を遮断するＢ−ゾーンが区分されて現われる。
【００７５】
この時特に本発明による立体映像表示装置のパララックスバリア液晶パネル２００は３Ｄモードでストライプ形態のＢ−ゾーンＢＺそしてこのようなＢ−ゾーンＢＺ間間でそれぞれストライプ形状で交互に光を透過及び遮断させる第１及び第２Ｔ−ゾーンＴＺ１、ＴＺ２に区分されていることを特徴とするので、３Ｄモードでパララックスバリア液晶パネル２００にはブラックを表示するＢ−ゾーンＢＺがストライプ形態で現れると同時にその間でそれぞれストライプ形態の第１及び第２Ｔ−ゾーンＴＺ１、ＴＺ２が交代方式でブラックとホワイトを交差表示する。
【００７６】
さらに詳細に、添付された図７は本発明の第１実施形態による立体映像表示装置において特にパララックスバリア液晶パネル２００の一部のみを拡大して示した断面図であって、繰り返し配列される第１及び第２Ｔ−ゾーンＴＺ１、ＴＺ２とＢ−ゾーンＢＺのうち任意の一単位構造のみを示した。これを前の図５と共に参照してパララックスバリア液晶パネル２００に対して詳細に説明する。
【００７７】
図示されるように本発明の第１実施形態による立体映像表示装置のパララックスバリア液晶パネル２００は第２液晶層２３０を間に置いて相互に対面合着された第３及び第４基板２１０、２４０を含み、このうち下部の第３基板２１０にはＢ−ゾーンＢＺ領域に対応するようにストライプ形態のバリア電極２１２が位置してこれの両側でそれぞれ第１及び第２Ｔ−ゾーンＴＺ１、ＴＺ２に対応するようにストライプ形態の第１及び第２透過電極２１４、２１６が位置している。（したがって本単位構造が繰り返されることを勘案すればＢ−ゾーンＢＺ間でストライプ形態の第１及び第２Ｔ−ゾーンＴＺ１、ＴＺ２が位置する形状になる。）
【００７８】
またこれと対面する第４基板２４０内面では全面にかけて第２共通電極２４２が用意されている。この時バリア電極２１２と第１及び第２透過電極２１４、２１６そして第２共通電極２４２はすべて透明な導電性物質であるＩＴＯ（Ｉｎｄｉｕｍ  Ｔｉｎ  Ｏｘｉｄｅ）材質で構成される。
【００７９】
したがってこのようなパララックスバリア液晶パネル２００がノーマルホワイトという前提下に２Ｄモードではバリア電極２１２をはじめとする第１及び第２透過電極２１４、２１６どこにも液晶駆動電圧が印加されなくて、その結果バックライト３００から出射された光が全面にかけて透過することができるようにノーマルホワイトを維持することによってメイン液晶パネル１００の平面映像が外部に現われるようにする。
【００８０】
そして３Ｄモードではバリア電極２１２に液晶駆動電圧が印加されて前記バリア電極２１２と第２共通電極２４２間の液晶を駆動させることでＢ−ゾーンＢＺでブラックを表示して、第１及び第２透過電極２１４、２１６では交互に液晶駆動電圧がオン／オフ印加されるので、第１透過電極２１４により第１Ｔ−ゾーンＴＺ１でブラックが表示される場合第２透過電極２１６に対応する第２Ｔ−ゾーンＴＺ２はホワイトを表示して、第２透過電極２１６により第２Ｔ−ゾーンＴＺ２でブラックが表示される場合第１透過電極２１４に対応する第１Ｔ−ゾーンＴＺ１はホワイトを表示する。
【００８１】
その結果メイン液晶パネル１００の平面映像を立体映像にディスプレーするが、この時これら第１及び第２Ｔ−ゾーンＴＺ１、ＴＺ２は望ましくは１フレーム内で少なくとも一回以上交代でブラックとホワイトを表示する。
【００８２】
そして図５を参照する場合、本発明による立体映像表示装置には一例でメイン液晶パネル１００の第２基板１４０外面、メイン液晶パネル１００とパララックス液晶パネル２００間そしてパララックスバリア液晶パネル２００の第３基板２１０背面でそれぞれ第１ないし第３偏光板１５２、１５４、１５６が付着することができて、第１液晶層１３０がツイステッド・ネマティック液晶集合体と仮定すれば、第１及び第３偏光板１５２、１５６は相互に同一な偏光特性を示して第２偏光板１５４はこれらと反対される偏光特性を示す。
【００８３】
一方、本発明によるパララックスバリア液晶パネル２００においてＢ−ゾーンＢＺと第１及び第２Ｔ−ゾーンＴＺ１、ＴＺ２は相互に続いて配列されるが、バリア電極２１２と第１及び第２透過電極２１４、２１６が同一平面上に存在する場合にはそれぞれの境界部分での液晶の異常駆動によるグレーレベルのような画質低下現象が現われることができる。したがって図７で図示されるようにバリア電極２１２と第１及び第２透過電極２１４、２１６が相異なる層に位置するようにその間の層間を区分する第１絶縁膜２１８が形成されており、未説明符号２２０は第３基板２１０とバリア電極２１２間に介在されたバッファー層を示す。
【００８４】
ここに本発明の第１実施形態によるパララックスバリア液晶パネル２００の一形態は第３基板２１０一面に形成されたバッファー層２２０上にバリア電極２１２が位置しており、その上部に第１絶縁膜２１８が覆われて前記第１絶縁膜２１８上部に第１及び第２透過電極２１４、２１６が位置している。そしてこれと対面する第４基板２４０内面では第２共通電極２４２が位置するので、たとえ図面上に示さなかったが第３基板２１０の第１及び第２透過電極２１４、２１６上部全面と第４基板２４０の第２共通電極２４２下部全面を覆う一対の配向膜が介在されて第２液晶層２３０はこれら配向膜間に位置される。
【００８５】
一方、このようなバリア電極２１２をはじめとする第１及び第２透過電極２１４、２１６そして第２共通電極２４２の細部的な位置は目的によって変更されることが可能だが、その具体的な幾つの例を図８Ａないし図８Ｃに示した。これら図８Ａないし図８Ｃはそれぞれ本発明の第１実施形態による立体映像表示装置のパララックスバリア液晶パネル２００に対する変形例を示した一部拡大断面図である。
【００８６】
それぞれをよく見れば、先に図８Ａは前の図７でバリア電極２１２と第１及び第２透過電極２１４、２１６間の上下位置が変更された場合であって、第３基板２１０内面のバッファー層２２０上に第１及び第２透過電極２１４、２１６が位置しており、これを覆う所定厚さの第１絶縁膜２１８上にバリア電極２１２が位置している。そして第２共通電極２４２は相変らず第４基板２４０内面に位置している。
【００８７】
次に図８Ｂはバリア電極２１２が第３基板２１０に用意される反面第１及び第２透過電極２１４、２１６はこれと対面される第４基板２４０に位置し、第２共通電極２４２はバリア電極２１４と対面される第４基板２４０そして第１及び第２透過電極２１４、２１６とそれぞれ対面される第３基板２１０に分散して存在される。したがって実質的に２個の第１サブ共通電極２４２ａと第２サブ共通電極２４２ｂに分離されている。
【００８８】
そしてこの場合第３基板２１０上に存在するバリア電極２１２と第２サブ共通電極２４２ｂ間の層間を区分するための第１絶縁膜２１８とは別途に、第４基板２４０上に存在する第１及び第２透過電極２１４、２１６と第１サブ共通電極２４２ａ間の層間を区分するための第２絶縁膜２２２がさらに具備されることがこれら間の電気的干渉を避けることができて望ましい。この時また図面に表示されたことと違って第３基板２１０のバッファー層２２０上にバリア電極２１２が位置してその上部の第１絶縁膜２１８上に第２サブ共通電極２４２ｂが位置することができて、同様に第４基板２４０の一面に第１及び第２透過電極２１４、２１６が位置してこれを覆う第２絶縁膜２２上に第１サブ共通電極２４２ａが位置することができる。
【００８９】
次に図８Ｃは前の図８Ｂの各電極が上下の位置を異にしたものであって、第３基板２１０のバッファー層２２０上に第１サブ共通電極２４２ａが位置してこれを覆う第１絶縁膜２１８上に第１及び第２透過電極２１４、２１６が位置して、第４基板２４０内面に第２サブ共通電極２４２ｂが位置してこれを覆う第２絶縁膜２２２上にバリア電極２１２が位置している。この場合も第３基板２１０のバッファー層２２０上に第１及び第２透過電極２１４、２１６が位置してこれを覆う第１絶縁膜２１８上に第１サブ共通電極２４２ａが位置することができて、同様に第４基板２４０の一面にバリア電極２１２が位置してこれを覆う第２絶縁膜２２２上に第２サブ共通電極２４２ｂが位置することができることはもちろんである。
【００９０】
この時図７をはじめとする図８Ａないし図８Ｃで示したパララックスバリア液晶パネル２００はたとえ電極の上下位置が他に変更されたが同一な作用をするので、図９に本発明の第１実施形態による立体映像パララックスバリア液晶パネル２００を利用した立体映像表示装置の３Ｄ具現映像の模式図を示した。
【００９１】
ここに図９にＩで表示された図面はＢ−ゾーンＢＺはブラック状態を示して第１Ｔ−ゾーンＴＺ１はホワイトそして第２Ｔ−ゾーンＴＺ２がブラック状態を示しており、IIで表示された図面は第１Ｔ−ゾーンＴＺ１とＢ−ゾーンＢＺがブラック状態を示して第２Ｔ−ゾーンＴＺ２はホワイト状態を示したことであって、これらは１フレーム内で少なくとも一回交互に現われるので実質的に観察者に見える画像はIIIで表示したことのように第１及び第２Ｔ−ゾーンＴＺ１、ＴＺ２すべてがホワイト状態ないしこれと同様のグレーレベルを示すことと認識される。
【００９２】
したがって実際目で見られるＲＧＢカラー画素の数のみを定量比較するとＩ、II対比IIIの場合には２倍以上の開口率を示すが任意の時点ではＢ−ゾーンＢＺがブラックを表示して第１及び第２Ｔ−ゾーンＴＺ１、ＴＺ２のうちいずれか一つだけがホワイトを表示するので体感解像度の高い立体映像表現が可能であって、これら第１及び第２Ｔ−ゾーンＴＺ１、ＴＺ２面積を適切に調節することによってユーザーはより深み感ある立体映像を見ることができて３Ｄ体感解像度と輝度が大きく改善する。
【００９３】
第２実施形態
次に図１０は本発明の第２実施形態による立体映像表示装置の断面を示した図面であって、メイン液晶パネル１００及びバックライト３００は前の第１実施形態と同一である。ここに前と同一な作用をする同一部分に対しては同一符号を付与して重複した説明を省略する。
【００９４】
反面、パララックスバリア液晶パネル２００の場合には前の第１実施形態と多少差を示しているが、３Ｄモード時ストライプ形態のＢ−ゾーンＢＺが現われてこれらの間でそれぞれ交互に光を遮断及び透過させる第１及び第２Ｔ−ゾーンＴＺ１、ＴＺ２が現われて特にこれら第１及び第２ＴゾーンＴＺ１、ＴＺ２間の境界を分けるライン形状で別途のサブＢ−ゾーンＳＢＺが現われている。
【００９５】
すなわち、図１１は本発明の第２実施形態によるパララックスバリア液晶パネル２００のうち繰り返し配列される第１及び第２Ｔ−ゾーンＴＺ１、ＴＺ２とＢ−ゾーンＢＺそしてサブＢ−ゾーンＳＢＺの一単位構造を拡大して示した断面図であって、これを共に参照すると、これも第２液晶層２３０を間に置いて相互に対面合着された第３及び第４基板２１０、２４０を含む。
【００９６】
そしてこのうち下部の第３基板２１０にはストライプ形状のバリア電極２１２をはじめとしてその間でライン形状のサブバリア電極２１３が一定間隔を置いて配列されており、これらの間でそれぞれストライプ形態の第１及び第２透過電極２１４、２１６が用意されている。（したがって本単位構造が繰り返されることを勘案すればＢ−ゾーンＢＺ間で第１及び第２Ｔ−ゾーンＴＺ１、ＴＺ２が現われるがその間をライン形状のサブＢ−ゾーンＳＢＺが過ぎる形状になる。）
【００９７】
またこれと対面する第４基板２４０内面では全面にかけて第２共通電極２４２が用意されている。この時バリア電極２１２とサブバリア電極２１３そして第１及び第２透過電極２１４、２１６と第２共通電極２４２はすべて透明な導電性物質であるＩＴＯ材質で構成される。
【００９８】
したがってこのようなパララックスバリア液晶パネル２００がノーマルホワイトという前提下に、２Ｄモードではバリア電極２１２とサブバリア電極２１３をはじめとする第１及び第２透過電極２１４、２１６どこにも液晶駆動電圧が印加されなくてバックライト３００の光を前面にかけて透過させることによってメイン液晶パネル１００の平面映像が現われるようにする。
【００９９】
そして３Ｄモードでバリア電極２１２とサブバリア電極２１３で継続的な液晶駆動電圧が印加されて第１及び第２透過電極２１４、２１６では交互に液晶駆動電圧が印加されて、その結果ストライプ形態でブラックを表示するＢ−ゾーンＢＺそしてこれら間でライン形状のブラックを表示するサブＢ−ゾーンＳＢＺが現われてその間で第１及び第２Ｔ−ゾーンＴＺ１、ＴＺ２が交互にブラックとホワイトを１フレーム内で少なくとも一回以上交代で表示する。その結果メイン液晶パネル１００の平面映像は観察者に立体映像に見える。
【０１００】
一方、このような本発明による第２実施形態も同様にこれらバリア電極２１２をはじめとするサブバリア電極２１３と第１及び第２透過電極２１４、２１６間の電気的干渉を可能な限り最小限にすることが望ましいので、これのために第３基板２１０表面のバッファー層２２０上にバリア電極２１２とサブバリア電極２１３が用意されていて、これを覆う所定厚さの第１絶縁膜２１８上に第１及び第２透過電極２１４、２１６が位置している。そして第４基板２４０には第２共通電極２４２が位置している。
【０１０１】
この時これら電極の具体的な上下位置が目的によって他に変更されることができるのでその幾つかの例を図１２Ａないし図１２Ｃに示した。前記図１２Ａないし図１２Ｃはそれぞれ本発明の第２実施形態による立体映像表示装置のパララックスバリア液晶パネルの変形例を示した断面図である。
【０１０２】
まず図１２Ａは前の図１１でバリア電極２１２をはじめとするサブバリア電極２１３そして第１及び第２透過電極２１４、２１６間の上下位置が変更された場合であって、第３基板２１０のバッファー層２２０上に第１及び第２透過電極２１４、２１６が位置して、これらを覆う所定厚さの第１絶縁膜２１８上にバリア電極２１２をはじめとするサブバリア電極２１３が位置する。そして第２共通電極２４２は相変らず第４基板２４０内面に位置する。
【０１０３】
次に図１２Ｂはバリア電極２１２をはじめとするサブバリア電極２１３が第３基板２１０の第１絶縁膜２１８上に用意される反面第１及び第２透過電極２１４、２１６はこれと対面される第４基板２４０に別途形成された第２絶縁膜２２２上に位置し、第２共通電極２４２は２個の第１及び第２サブ共通電極２４２ａ、２４２ｂに区分されてこのうち第１サブ共通電極２４２ａはバリア電極２１２とサブバリア電極２１３と対面される第４基板２４０、具体的には前記第４基板２４０と第２絶縁膜２２２間で位置して、第２サブ共通電極２４２ｂは第１及び第２透過電極２１４、２１６と対面される第３基板２１０、具体的にはバッファー層２２０と第１絶縁膜２１８間でそれぞれ存在する。この時図面に示したことと違って第３基板２１０のバッファー層２２０上にバリア電極２１２とサブバリア電極２１３が位置してこれを覆う第１絶縁膜２１８上に第２サブ共通電極２４２ｂが位置することができて、第４基板２４０の一面に第１及び第２透過電極２１４、２１６が位置してこれを覆う第２絶縁膜２２２上に第１サブ共通電極２４２ａが位置することができる。
【０１０４】
そして図１２Ｃは前の図１２Ｂの各電極が上下の位置を異にして用意されたものであって、第１及び第２透過電極２１４、２１６が第３基板２１０の第１絶縁膜２１８上に位置する反面、第４基板２４０の第２絶縁膜２２２上にバリア電極２１２をはじめとするサブバリア電極２１３が位置して、これらバリア電極２１２及びサブバリア電極２１３と対面する第１サブ共通電極２４２ａは第３基板２１０のバッファー層２２０と第１絶縁膜２１８間で位置して、第１及び第２透過電極２１４、２１６と対面する第２サブ共通電極２４２ｂは第４基板２４０と第２絶縁膜２２２間で位置している。この場合も第３基板２１０のバッファー層２２０上に第１及び第２透過電極２１４、２１６が位置して第１絶縁膜２１８上に第１サブ共通電極２４２ａが位置することができ、第４基板２４０の一面にバリア電極２１２をはじめとするサブバリア電極２１３が位置してこれを覆う第２絶縁膜２２２上に第２サブ共通電極２４２ｂが位置することができることはもちろんである。
【０１０５】
一方、このような本発明の第２実施形態によるパララックスバリア液晶パネル２００を具備した立体映像表示装置の３Ｄモード具現映像に対する模式図を図１３に示したが、このうちＩ’で表示された部分はＢ−ゾーンＢＺをはじめとするサブＢ−ゾーンＳＢＺはブラック状態を示して第１Ｔ−ゾーンＴＺ１はホワイトそして第２Ｔ−ゾーンＴＺ２はブラック状態を示しており、II’で表示された部分はＢ−ゾーンＢＺをはじめとするサブＢ−ゾーンＳＢＺと第１Ｔ−ゾーンＴＺ１がブラック状態を示して第２Ｔ−ゾーンＴＺ２がホワイト状態を示したことであって、結果的にユーザーはこれらが合わせられたIIIの立体映像を観察するようになる。
【０１０６】
この時前の第１実施形態で見えたIIIと本第２実施形態で見えたIII’を比較するとユーザーに見えるＲＧＢカラー画素数は相互に等しいことがあるが各カラー画素がライン形状のサブＢ−ゾーンＳＢＺにより上下で分離された形態を有するので、ユーザーに３Ｄ体感解像度がより改善した立体映像を表示することができる。
【０１０７】
一方、以上の実施形態は本発明の一例に過ぎないし、具体的にそれぞれの電極は該当役割を遂行するかぎりその位置の変更が可能であってそれ以外にもパララックスバリア液晶パネル２００がメイン液晶パネル１００の前面に位置されることも可能なことはもちろんである。しかしこのような多様な変形は本発明の範囲内に属するとしなければならないことであり、これは以下の請求範囲を介して当業者にさらに明らかに理解することができることである。
【図面の簡単な説明】
【０１０８】
【図１】従来のパララックスバリア方式立体映像表示装置の断面図。
【図２Ａ】それぞれ一般的な立体映像表示装置の動作モード別断面図。
【図２Ｂ】それぞれ一般的な立体映像表示装置の動作モード別断面図。
【図３】一般的なまた他の形態の立体映像表示装置に対する断面図。
【図４】一般的な立体映像表示装置の３Ｄ具現映像に対する平面図。
【図５】本発明の第１実施形態による立体映像表示装置の断面図。
【図６】本発明による立体映像表示装置のメイン液晶パネルに対する一部分解斜視図。
【図７】本発明の第１実施形態による立体映像表示装置のパララックスバリア液晶パネルに対する一部拡大断面図。
【図８Ａ】それぞれ本発明の第１実施形態による立体映像表示装置のパララックスバリア液晶パネルに対する変形例を示した一部拡大断面図。
【図８Ｂ】それぞれ本発明の第１実施形態による立体映像表示装置のパララックスバリア液晶パネルに対する変形例を示した一部拡大断面図。
【図８Ｃ】それぞれ本発明の第１実施形態による立体映像表示装置のパララックスバリア液晶パネルに対する変形例を示した一部拡大断面図。
【図９】本発明の第１実施形態による立体映像表示装置の３Ｄ具現映像に対する模式図。
【図１０】本発明の第２実施形態による立体映像表示装置の断面図。
【図１１】本発明の第２実施形態による立体映像表示装置のパララックスバリア液晶パネルに対する一部拡大断面図。
【図１２Ａ】それぞれ本発明の第２実施形態による立体映像表示装置のパララックスバリア液晶パネルに対する変形例を示した一部拡大断面図。
【図１２Ｂ】それぞれ本発明の第２実施形態による立体映像表示装置のパララックスバリア液晶パネルに対する変形例を示した一部拡大断面図。
【図１２Ｃ】それぞれ本発明の第２実施形態による立体映像表示装置のパララックスバリア液晶パネルに対する変形例を示した一部拡大断面図。
【図１３】本発明の第２実施形態による立体映像表示装置の３Ｄ具現映像に対する模式図。
【符号の説明】
【０１０９】
１００：メイン液晶パネル
１１０、１４０：第１及び第２基板
１３０：第１液晶層
１５２、１５４、１５６：第１ないし第３偏光板
２００：パララックスバリア液晶パネル
２１０、２４０：第３及び第４基板
２３０：第２液晶層
３００：バックライト
ＢＺ：遮断領域
ＴＺ１、ＴＺ２：第１及び第２透過領域
【図１】
2006189766.tif 000003
【図２Ａ】
2006189766.tif 000004
【図２Ｂ】
2006189766.tif 000005
【図３】
2006189766.tif 000006
【図４】
2006189766.tif 000007
【図５】
2006189766.tif 000008
【図６】
2006189766.tif 000009
【図７】
2006189766.tif 000010
【図８Ａ】
2006189766.tif 000011
【図８Ｂ】
2006189766.tif 000012
【図８Ｃ】
2006189766.tif 000013
【図９】
2006189766.tif 000014
【図１０】
2006189766.tif 000015
【図１１】
2006189766.tif 000016
【図１２Ａ】
2006189766.tif 000017
【図１２Ｂ】
2006189766.tif 000018
【図１２Ｃ】
2006189766.tif 000019
【図１３】
2006189766.tif 000020